(57)【要約】      （修正有）【課題】軸筒に対して取付部を被覆層が傷付くことなく誰でも簡単に着脱する。【解決手段】被服に対して着脱自在に装着されるクリップ部１と、クリップ部に設けられて軸筒Ｂの外表面に対し着脱自在に取り付けられる取付部２と、取付部の内表面に軸筒の被覆層と対向して形成される被膜層Ｂ１と、を備え、取付部は、弾性変形可能な硬質材料で軸筒の外径よりも小さな内径を有する円筒状に形成され、その先端に開口部位２ｂを有し、被膜層は、被覆層の材質よりも柔らかくて弾性変形可能な材料からなり、軸筒の外表面に対する取付部の取り付け状態で、被覆層と圧接する。【選択図】図１
2019155662.tif 000002
【特許請求の範囲】
【請求項１】
被服に対して着脱自在に装着されるクリップ部と、
前記クリップ部に設けられて軸筒の外表面に対し着脱自在に取り付けられる取付部と、
前記取付部の内表面に前記軸筒の被覆層と対向して形成される被膜層と、を備え、
前記取付部は、弾性変形可能な硬質材料で前記軸筒の外径よりも小さな内径を有する円筒状に形成され、その先端に開口部位を有し、
前記被膜層は、前記被覆層の材質よりも柔らかくて弾性変形可能な材料からなり、前記軸筒の前記外表面に対する前記取付部の取り付け状態で、前記被覆層と圧接することを特徴とする被服止め具。
【請求項２】
前記軸筒の前記外径に対する前記取付部の前記内径の割合が９１〜９９％に設定され、前記軸筒の前記外径に対する前記開口部位の開口幅の割合が７１〜７８％に設定されることを特徴とする請求項１記載の被服止め具。
【請求項３】
前記軸筒が加熱式タバコ又は電子タバコの外筒であることを特徴とする請求項１又は２記載の被服止め具。
【発明の詳細な説明】
【技術分野】
【０００１】
本発明は、加熱式タバコや筆記具などのような軸筒を、被服や衣装などに対して取り付けるために用いられる被服止め具に関する。
【背景技術】
【０００２】
従来、この種の被服止め具として、クリップ本体の基端部側に、筆記具の軸筒への取付部である抱持部が連設され、この抱持部が軸筒の外周面を抱持して固着される鉢巻型のクリップ取付構造がある（例えば、特許文献１参照）。
鉢巻型のクリップ取付構造は、抱持部がクリップ本体と同じく弾性に富んだ金属板製であり、この金属板を断面形状がＣ字状になるように形成したものであって、クリップ本体の基端縁と一体に連設されている。
軸筒の外周面に対し、抱持部の開口部位を圧接させることにより、断面Ｃ字状の抱持部の内径よりも軸筒の外径が大きいため、抱持部が拡開して、その弾発力により抱持部が軸筒の外周面を抱持して固着される。
【先行技術文献】
【特許文献】
【０００３】
【特許文献１】特開２０００−２０３１９０号公報
【発明の概要】
【発明が解決しようとする課題】
【０００４】
ところで、筆記具などからなる軸筒の外表面には、デザイン効果を高めるため、塗装などにより被膜層が積層形成される場合がある。
しかし乍ら、特許文献１のクリップ取付構造では、軸筒の外周面に対する抱持部の圧接により、軸筒の外周面に沿って抱持部の開口部位が弾性的に拡開変形してから収縮変形し、これらの弾性変形に伴って抱持部の開口部位が軸筒の外周面に強く突き当たる。このため、軸筒の外表面が被膜層を有する場合には、抱持部の開口部位が被膜層を傷付け、部分的に剥がすおそれがある。
これにより、被膜層が劣化して、軸筒のデザイン効果が期待できなくなるという問題があった。
【課題を解決するための手段】
【０００５】
このような課題を解決するために本発明に係る被服止め具は、被服に対して着脱自在に装着されるクリップ部と、前記クリップ部に設けられて軸筒の外表面に対し着脱自在に取り付けられる取付部と、前記取付部の内表面に前記軸筒の被覆層と対向して形成される被膜層と、を備え、前記取付部は、弾性変形可能な硬質材料で前記軸筒の外径よりも小さな内径を有する円筒状に形成され、その先端に開口部位を有し、前記被膜層は、前記被覆層の材質よりも柔らかくて弾性変形可能な材料からなり、前記軸筒の前記外表面に対する前記取付部の取り付け状態で、前記被覆層と圧接することを特徴とする。
【図面の簡単な説明】
【０００６】
【図１】本発明の実施形態に係る被服止め具の全体構成を示す説明図であり、（ａ）が軸筒の斜視図、（ｂ）がクリップ部及び取付部の斜視図である。
【図２】軸筒に対する取付部の取り付け時の平面図である。
【図３】被服止め具の使用状態を示す縮小斜視図である。
【発明を実施するための形態】
【０００７】
以下、本発明の実施形態を図面に基づいて詳細に説明する。
本発明の実施形態に係る被服止め具Ａは、図１〜図３に示すように、加熱式タバコや筆記具などのような軸筒Ｂを、被服や衣装などに対し取り付けて持ち運ぶために用いられるクリップ取付構造である。
詳しく説明すると、本発明の実施形態に係る被服止め具Ａは、被服や衣装などに対して着脱自在に装着されるクリップ部１と、クリップ部１に設けられて軸筒Ｂの外表面に対し着脱自在に取り付けられる取付部２と、取付部２の内表面に軸筒Ｂの被覆層Ｂ１と対向して形成される被膜層２ａと、を主要な構成要素として備えている。
【０００８】
軸筒Ｂは、加熱式タバコや電子タバコや無煙タバコなどの喫煙具、又はボールペンやシャープペンシルなどの筆記具、若しくはその他の円筒状ケースなどである。
軸筒Ｂの外表面には、デザイン効果を高めるため、塗装などによって被膜層Ｂ１が積層形成される。
軸筒Ｂの具体例として図１（ａ）〜図３に示される場合には、加熱式タバコの外筒である。加熱式タバコは、吸い口を有して内部にたばこ葉が詰められたカプセル部Ｂａと、蒸気を発生するカートリッジが内蔵されたヒーター部Ｂｂと、電池が内蔵されたバッテリー部Ｂｃと、を備えている。
ヒーター部Ｂｂ及びバッテリー部Ｂｃの外筒は、それぞれの外表面に被膜層Ｂ１を有しており、ヒーター部Ｂｂの外筒となる被膜層Ｂ１に対して、取付部２を着脱自在に取り付けている。
【０００９】
クリップ部１は、鉄や鋼材などの金属やその他の弾性変形可能な硬質材料によって軸筒Ｂの軸方向へ長尺な帯板状に形成され、その一端側には取付部２が一体形成されるか、又は取付部２が連結固定（固着）される。
クリップ部１の具体例として図１（ｂ）〜図３に示される場合には、帯板状のクリップ本体１ａと、クリップ本体１ａの一端及び取付部２に亘って連続形成された連結部位１ｂと、クリップ本体１ａの他端に形成された挟持部位１ｃと、を有している。
図示例では、連結部位１ｂの側面形状がＵ字状に形成され、挟持部１ｃが軸筒Ｂに向けて突出するように折り曲げ形成されている。
また、その他の例として図示しないが、クリップ本体１ａや連結部位１ｂや挟持部位１ｃの形状を図示例外の形状に変更することも可能である。
【００１０】
取付部２は、弾性変形可能な硬質材料で軸筒Ｂの外径Ｂｄよりも僅かに小さな内径２ｄを有する円筒状に形成され、その先端に開口部位２ｂを有し、平面形状がＣ字状に形成されることで、取付部２の径方向へ弾性変形自在に構成されている。
取付部２の内表面には、軸筒Ｂの被覆層Ｂ１と対向して被膜層２ａが積層形成される。
被膜層２ａは、軸筒Ｂの外表面となる被膜層Ｂ１の材質よりも柔らかくて弾性変形可能な材料からなり、軸筒Ｂの外表面に対する取付部２の取り付け状態で、被覆層Ｂ１と弾性的に圧接するように構成される。
被膜層２ａとなる弾性変形可能な材料としては、樹脂コーティングなどが用いられる。樹脂コーティング剤としては、例えばナイロン１１などのポリアミド系樹脂、塩化ビニル樹脂、発泡塩化ビニル樹脂、エチレン−ビニルアルコール共重合体（ＥＶＯＨ）、ポリエチレン（ＰＥ）、エポキシ樹脂、ポリプロピレン（ＰＰ）、エチレン−酢酸ビニル共重合体（ＥＶＡ）などが挙げられる。このなかでも、特に塗膜が厚く柔らかくて弾力があり、耐衝撃性、耐磨耗性、耐薬品性、耐屈曲疲労性、防錆力などに優れるナイロン１１を用いることが好ましい。
被膜層２ａの具体例として、取付部２の材質が炭素鋼、詳しくは炭素工具鋼（ＳＫ）である場合には、ニッケル（Ｎｉ）下地にクロム(Ｃｒ)めっきを重ねてから、ナイロン１１をコーティングすることが好ましい。
【００１１】
そして、軸筒Ｂに対する取付部２の取り付け方法は、先ず図２に示されるように、軸筒Ｂの外表面となる被膜層Ｂ１に対して取付部２を、被膜層Ｂ１に取付部２の開口部位２ｂがそれぞれ突き当たるように当接（圧接）させる。その次に、被膜層Ｂ１に対する開口部位２ｂの圧接状態を維持しながら、取付部２を軸筒Ｂの径方向へ押し込む。
これにより、軸筒Ｂの被膜層Ｂ１に沿って取付部２の開口部位２ｂが拡開変形しながら、軸筒Ｂに向けて取付部２が接近移動する。
これに続き、開口部位２ｂの開口幅２ｗが軸筒Ｂの外径Ｂｄと同寸法になるまで拡開変形した後は、取付部２の開口部位２ｂが収縮変形して取付部２の内径２ｄを縮径する。
最終的には、図３に示されるように、取付部２の被膜層２ａが被覆層Ｂ１に対し弾性的に圧接して、軸筒Ｂの外表面に取付部２が抱持され、この状態で軸筒Ｂに対する取付部２の取り付け作業が完了する。
すなわち、図２に示された軸筒Ｂに対する取付部２の取り付け時は、取付部２の開口部位２ｂが軸筒Ｂの被膜層Ｂ１にそれぞれ当接（圧接）しており、開口部位２ｂから軸筒Ｂの中心点Ｂｏに向かう中心角度αが９０度となるように設定した状態で、それぞれの開口部位２ｂに亘る幅寸法を開口幅２ｗとしている。
さらに図３に示される例では、被服や衣装などのポケットＰに対してクリップ部１を着脱自在に装着している。
【００１２】
前述した軸筒Ｂに対する取付部２の取り付け方法によって軸筒Ｂの外表面に取付部２を確実に抱持させるには、以下のようなサイズ設定が必要である。
軸筒Ｂに対する取付部２のサイズは、軸筒Ｂの外径Ｂｄに対する取付部２の内径２ｄの割合を９１〜９９％、詳しくは９３〜９７％に設定することが好ましい。
軸筒Ｂの外径Ｂｄに対する取付部２の内径２ｄの割合が９１％（詳しくは９３％）未満であると、軸筒Ｂに対する取付部２の取り付け作業が困難になる。また軸筒Ｂの外径Ｂｄに対する取付部２の内径２ｄの割合が９９％（詳しくは９７％）を越えると、軸筒Ｂに対する取付部２の保持力が不足して取り付け後に位置ズレし易くなる傾向がある。
さらに軸筒Ｂの外径Ｂｄに対する開口部位２ｂの開口幅２ｗの割合は、７１〜７８％、詳しくは７３〜７６％に設定することが好ましい。
軸筒Ｂの外径Ｂｄに対する開口部位２ｂの開口幅２ｗの割合が７１％（詳しくは７３％）未満であると、軸筒Ｂに対する取付部２の取り付け作業が困難になる。また軸筒Ｂの外径Ｂｄに対する開口部位２ｂの開口幅２ｗの割合が７８％（詳しくは７６％）を越えると、軸筒Ｂに対する取付部２の保持力が不足して取り付け後に位置ズレし易くなる傾向がある。
【００１３】
このような本発明の実施形態に係る被服止め具Ａによると、軸筒Ｂの外表面に取付部２が取り付けられて、被覆層Ｂ１に被膜層２ａを圧接させても、被膜層２ａが被覆層Ｂ１よりも柔らかくて弾性変形するため、被覆層Ｂ１が傷付かない。
したがって、軸筒Ｂに対して取付部２を被覆層Ｂ１が傷付く（剥がれる）ことなく誰でも簡単に着脱することができる。
その結果、軸筒の外表面が被膜層を有する場合には、抱持部の開口部位が被膜層を傷付けて部分的に剥がすものに比べ、被覆層Ｂ１の劣化を防止できて軸筒Ｂのデザイン効果が長期に亘って期待できる。
【００１４】
特に、軸筒Ｂの外径Ｂｄに対する取付部２の内径２ｄの割合を９１〜９９％（詳しくは９３〜９７％）に設定し、軸筒Ｂの外径Ｂｄに対する開口部位２ｂの開口幅２ｗの割合を７１〜７８％（詳しくは７３〜７６％）に設定することが好ましい。
この場合には、軸筒Ｂの被膜層Ｂ１に対して取付部２を、被膜層Ｂ１に取付部２の開口部位２ｂがそれぞれ突き当たるように圧接させながら、軸筒Ｂの径方向へ押し込んで移動させることにより、被膜層Ｂ１に沿って開口部位２ｂがスムーズに拡開変形し、開口部位２ｂの開口幅２ｗが軸筒Ｂの外径Ｂｄと同寸法になるまで拡開変形する。
それ以降は、取付部２の開口部位２ｂが収縮変形して取付部２の内径２ｄを縮径する。
最終的には、取付部２の被膜層２ａが被覆層Ｂ１に対し弾性的に圧接して、軸筒Ｂの外表面に取付部２が抱持される。
したがって、軸筒Ｂに対する取付部２のスムーズな着脱操作と位置ズレ防止を共に達成することができる。
その結果、軸筒Ｂの外表面に対する取付部２の取り付け作業が行い易く、使用勝手の向上も図れる。
【００１５】
さらに、軸筒Ｂが加熱式タバコ又は電子タバコの外筒であることが好ましい。
この場合には、軸筒Ｂとなる加熱式タバコ又は電子タバコの外筒に取付部２を取り付けることにより、軸筒Ｂの外表面からクリップ部１が突出する。
このため、テーブルなどの載置面に対し、軸筒Ｂとなる加熱式タバコや電子タバコの外筒を置いても、クリップ部１により加熱式タバコや電子タバコが自転不能となる。
したがって、加熱式タバコや電子タバコの転がり防止を達成することができる。
その結果、加熱式タバコや電子タバコの転がりによる紛失や汚れを防止できて使用勝手がよい。
また、加熱式タバコや電子タバコの吸い口側となる軸筒Ｂの一端部に取付部２を取り付けた場合には、テーブルなどの載置面に置いても、加熱式タバコや電子タバコの吸い口（カプセル部Ｂａ）側がテーブルなどの載置面から浮いた状態となる。
したがって、加熱式タバコや電子タバコの吸い口側が載置面と接触しないため、衛生的である。
【００１６】
なお、前示の実施形態において軸筒Ｂの具体例では、加熱式タバコである場合をしたが、これに限定されず、加熱式タバコに代えて電子タバコなどであってもよい。
この場合においても、前述した加熱式タバコと同様な作用や利点が得られる。
また軸筒Ｂは、加熱式タバコや電子タバコに代えて、ボールペンやシャープペンシルなどの筆記具、その他の円筒状ケースであってもよい。
さらに図示例では、被服や衣装などのポケットＰに対してクリップ部１を着脱自在に装着したが、これに限定されず、ポケットＰ以外の被服や衣装又は鞄などに対してクリップ部１を着脱自在に装着してもよい。
【符号の説明】
【００１７】
Ａ  被服止め具                          １  クリップ部
２  取付部                              ２ａ  被膜層
２ｂ  開口部位                          ２ｄ  内径
２ｗ  開口幅                            Ｂ  軸筒
Ｂ１  被覆層                            Ｂｄ  外径
【図１】
2019155662.tif 000003
【図２】
2019155662.tif 000004
【図３】
2019155662.tif 000005